(57)【特許請求の範囲】
【請求項１】
粘着剤層を介してシートが積層された記録媒体に対して画像形成を行う画像形成部と、
前記記録媒体の搬送方向と直交する幅方向の両端部からはみ出した粘着剤量を検出する検出部と、
前記検出部により検出した前記記録媒体の前記幅方向の両端部の粘着剤量の差に基づいて、前記画像形成部により形成する画像の濃度を補正する補正量を算出する制御部と、
を備えることを特徴とする画像形成装置。
【請求項２】
前記画像形成部に前記記録媒体を給紙する給紙部を備え、
前記検出部は、前記画像形成部及び前記給紙部に備えられ、
前記制御部は、前記画像形成部及び前記給紙部における所定数の前記検出部において前記記録媒体の前記幅方向の同一側の端部で粘着剤量を多く検出した場合、前記給紙部に備えられた前記検出部で検出された粘着剤量を、前記画像形成部に備えられた前記検出部で検出された粘着剤量から差し引いて前記補正量を算出することを特徴とする請求項１に記載の画像形成装置。
【請求項３】
前記給紙部には複数の前記検出部が備えられ、
前記制御部は、前記給紙部における複数の前記検出部で検出された粘着剤量を平均した平均値を、前記画像形成部に備えられた前記検出部で検出された粘着剤量から差し引いて前記補正量を算出することを特徴とする請求項２に記載の画像形成装置。
【請求項４】
前記制御部は、複数枚の前記記録媒体に対して前記補正量を算出し、複数枚の前記記録媒体に対して算出された前記補正量を平均した平均値を、最終補正量として決定することを特徴とする請求項１〜３の何れか一項に記載の画像形成装置。
【請求項５】
前記検出部は、前記記録媒体の前記幅方向に延在するラインセンサーを備えることを特徴とする請求項１〜４の何れか一項に記載の画像形成装置。
【請求項６】
前記検出部は、前記記録媒体の前記幅方向の両端部からはみ出した粘着剤が付着した検出対象部材の付着部を検出可能な位置に設置されることを特徴とする請求項１〜５の何れか一項に記載の画像形成装置。
【請求項７】
前記記録媒体を前記幅方向に移動させるステアリング機構を備え、
前記制御部は、前記検出部により検出した粘着剤量が第一閾値を超えた場合、前記ステアリング機構により、前記記録媒体を粘着剤量が前記第一閾値を超えた方向に移動させることを特徴とする請求項１〜６の何れか一項に記載の画像形成装置。
【請求項８】
前記制御部は、前記記録媒体を移動させてから所定時間経過した場合、前記ステアリング機構により、当該記録媒体を元の位置に戻すことを特徴とする請求項７に記載の画像形成装置。
【請求項９】
前記記録媒体を挟持搬送するローラー対を備え、
前記検出部は前記ローラー対に対して設置され、
前記制御部は、前記ステアリング機構により、前記記録媒体を同一方向に一定距離以上移動させた場合、前記ローラー対のニップ圧を変更することを特徴とする請求項７又は８に記載の画像形成装置。
【請求項１０】
ユーザーに対して所定のメッセージを報知する報知部を備え、
前記制御部は、前記ステアリング機構により、前記記録媒体を同一方向に一定距離以上移動させた場合、前記報知部により清掃を促すことを特徴とする請求項７又は８に記載の画像形成装置。
【請求項１１】
ユーザーに対して所定のメッセージを報知する報知部を備え、
前記制御部は、前記検出部により検出した粘着剤量が前記第一閾値よりも多い第二閾値を超えた場合、前記報知部により清掃を促すことを特徴とする請求項７〜１０の何れか一項に記載の画像形成装置。
【発明の詳細な説明】
【技術分野】
【０００１】
本発明は、画像形成装置に関する。
【背景技術】
【０００２】
従来、像担持体上にトナー像を形成する画像形成ユニットと、像担持体上のトナー像を中間転写ベルトに１次転写し、中間転写ベルト上の中間トナー像を記録媒体に２次転写する転写ユニットとを備えた、電子写真方式の画像形成装置が知られている。
かかる画像形成装置においては、粘着剤層を介してシートが積層されたラベル紙等の記録媒体を使用した場合、粘着剤が各部材（搬送ローラー、２次転写ローラーなど）に付着することで、画像不良や装置内部の不具合が発生することがある。
そこで、粘着剤の付着を検出してこれを除去する除去部材を備えた構成が提案されている（例えば、特許文献１参照）。
また、一般に、画像形成装置においては、画像濃度や記録媒体の位置を検出する各種検出センサーが備えられている（例えば、特許文献２、３参照）。従って、粘着剤の付着によって画像濃度の傾き、画像の位置ズレ、記録媒体の蛇行や傾き等が発生した場合にも、これらのセンサーの検出結果を用いて補正を実施している。
【先行技術文献】
【特許文献】
【０００３】
【特許文献１】特開２００８−２６６０１２号公報
【特許文献２】特開２０１５−１３５３９９号公報
【特許文献３】特開２０１５−１５８５７７号公報
【発明の概要】
【発明が解決しようとする課題】
【０００４】
しかしながら、このような画像形成装置においては、粘着剤を除去するための除去部材、画像濃度や記録媒体の位置を検出するための各種検出センサーが必要であって、部品点数が多くなっていた。
【０００５】
本発明はこのような課題に鑑みてなされたものであって、少ない部品点数でありながら、良好な画質及び搬送安定性を実現することのできる画像形成装置を提供することを目的とする。
【課題を解決するための手段】
【０００６】
上記課題を解決するため、本発明の画像形成装置は、粘着剤層を介してシートが積層された記録媒体に対して画像形成を行う画像形成部と、前記記録媒体の搬送方向と直交する幅方向の両端部からはみ出した粘着剤量を検出する検出部と、前記検出部により検出した前記記録媒体の前記幅方向の両端部の粘着剤量の差に基づいて、前記画像形成部により形成する画像の濃度を補正する補正量を算出する制御部と、を備えることを特徴とする。
【発明の効果】
【０００７】
本発明によれば、少ない部品点数でありながら、良好な画質及び搬送安定性を実現することができる。
【図面の簡単な説明】
【０００８】
【図１】画像形成装置の制御構成を示す機能ブロック図である。
【図２】画像形成装置の要部構成を示す概略図である。
【図３】検出部の構成を説明するための図である。
【図４】検出部の設置位置を示す図である。
【図５】ステアリング機構による記録媒体の動作を説明するための図である。
【図６】粘着剤除去処理を示すフローチャートである。
【図７】粘着剤除去処理における記録媒体の移動の様子を説明するための図である。
【図８】粘着剤除去処理における記録媒体の移動の様子を説明するための図である。
【図９】粘着剤除去処理における記録媒体の移動の様子を説明するための図である。
【図１０】補正量算出処理を示すフローチャートである。
【図１１】（ａ）は、２次転写ローラーにおける記録媒体の手前側と奥側の粘着剤付着量を示す図の一例であり、（ｂ）は、（ａ）に基づく補正量を示す図の一例である。
【図１２】粘着剤付着量を画像濃度に換算する手法を説明するための図である。
【図１３】（ａ）は、２次転写ローラー及び給紙ローラー対における記録媒体の手前側と奥側の粘着剤付着量を示す図の一例であり、（ｂ）は、（ａ）に基づく補正量を示す図の一例である。
【図１４】他の態様の補正量算出処理を示すフローチャートである。
【発明を実施するための形態】
【０００９】
以下、本発明の実施の形態について図面を参照して説明する。但し、発明の範囲は、図示例に限定されない。
【００１０】
先ず、本実施の形態における画像形成装置の構成について説明する。
図１は、画像形成装置１００の制御構成を示す機能ブロック図である。図２は、画像形成装置１００の要部構成を示す概略図である。
【００１１】
図１、図２に示すように、画像形成装置１００は、例えば、給紙部１０と、画像形成部Ｇと、定着部４０と、報知部としての操作表示部５０と、制御部６０と、記憶部７０と、検出部８０と、ステアリング機構９０と、を備える。
【００１２】
給紙部１０は、ロール状に巻き回された長尺な記録媒体Ｐを備えている。本実施の形態において、記録媒体Ｐは、例えば、粘着層を介して２枚のシートが積層されたラベル紙である。記録媒体Ｐは、給紙ローラー対１１、１２、１３により搬送され、後述の２次転写ローラー３３に搬送される。
なお、記録媒体Ｐとしては、枚葉状のものであっても良い。
【００１３】
画像形成部Ｇは、例えば、外部装置から送信された画像形成ジョブ（以下、単に「ジョブ」という）に基づいて、イエロー（Ｙ）、マゼンタ（Ｍ）、シアン（Ｃ）、及びブラック（Ｋ）の各有色トナーによる画像を形成するための画像形成ユニット２０Ｙ、２０Ｍ、２０Ｃ、２０Ｋ、及び転写ユニット３０等を備える。
【００１４】
Ｙ成分、Ｍ成分、Ｃ成分、Ｋ成分用の画像形成ユニット２０Ｙ、２０Ｍ、２０Ｃ、２０Ｋは、同様の構成を有する。なお、図示及び説明の便宜上、共通する構成要素は同一の符号で示す。
画像形成ユニット２０Ｙにより画像形成ユニットの構成を説明する。
画像形成ユニット２０Ｙは、露光部２１、現像部２２、感光体２３、及び帯電部２４等を備えている。
帯電部２４は、光導電性を有する感光体２３の表面を一様に負極性に帯電させる。露光部２１は、例えば半導体レーザーで構成され、感光体２３に対して各色成分の画像に対応するレーザー光を照射する。感光体２３の表面には、周囲との電位差により各色成分の静電潜像が形成される。現像部２２は、各色成分の現像剤を収容しており、感光体２３の表面に各色成分のトナーを付着させることにより静電潜像を可視化してトナー像を形成する。
【００１５】
転写ユニット３０は、中間転写ベルト３１、１次転写ローラー３２、２次転写ローラー３３、駆動ローラー３４、従動ローラー３５、及び図示しないベルトクリーニング部等を備えている。
【００１６】
中間転写ベルト３１は無端状ベルトで構成され、駆動ローラー３４、及び従動ローラー３５に掛け渡される。中間転写ベルト３１は、駆動ローラー３４の回転により矢印Ａ方向に一定速度で走行する。
１次転写ローラー３２によって、中間転写ベルト３１が感光体２３に圧接されると、中間転写ベルト３１に各色トナー像が順次重ねられて１次転写される。そして、中間転写ベルト３１が２次転写ローラー３３によって記録媒体Ｐに圧接されると、中間転写ベルト３１に１次転写された中間トナー像が記録媒体Ｐに２次転写される。
【００１７】
定着部４０は、記録媒体Ｐ上に転写されたトナー像を定着させる。
例えば、定着部４０は、記録媒体Ｐを挟持するための、加熱ローラー４１及び加圧ローラー４２を備えている。
加熱ローラー４１は、加熱源であるヒーターによって所定の温度に加熱される。
加圧ローラー４２は、図示しない弾性部材によって加熱ローラー４１へ向かって付勢されている。トナー像の転写された記録媒体Ｐは、加熱ローラー４１と加圧ローラー４２とのニップ部を通ることにより熱と圧力が加えられ、トナー像が溶融定着する。
【００１８】
操作表示部５０は、表示画面を備え、画面上に各種情報の表示を行う表示部、及びユーザーによる各種指示の入力に使用される操作部を備えている。
【００１９】
制御部６０は、例えば、ＣＰＵ（Central Processing Unit）、ＲＡＭ（Random Access Memory）等により構成される。制御部６０のＣＰＵは、記憶部７０に記憶されているシステムプログラムや処理プログラム等の各種プログラムを読み出してＲＡＭに展開し、展開されたプログラムに従って、画像形成処理、粘着剤除去処理、補正量算出処理などの各種処理を実行する。粘着剤除去処理、補正量算出処理の詳細は後述する。
【００２０】
記憶部７０は、例えば、ＨＤＤ（Hard Disk Drive）や半導体の不揮発性メモリー等で構成されている。
記憶部７０には、制御部６０で実行されるシステムプログラムや処理プログラムを始めとする各種プログラム、これらのプログラムの実行に必要なデータが記憶されている。例えば、記憶部７０には、各種処理の実行に必要な設定情報が記憶されている。
【００２１】
図３（ａ）（ｂ）は、検出部８０の構成を説明するための図である。
検出部８０は、例えば、図３（ａ）に示すように、記録媒体Ｐの搬送方向と直交する幅方向（Ｘ方向）の両端部にそれぞれ対応する２つのセンサー８１、８１を備えている。
２つのセンサー８１、８１は、例えば、光学式センサーであって、制御部６０の制御により、検出対象部材であるローラー（給紙ローラー対１１、１２、１３、２次転写ローラー３３、加圧ローラー４２）のニップ部において、記録媒体ＰのＸ方向の両端部からはみ出して上記ローラーに付着した粘着剤の付着量（粘着剤量）を、その出力値により検出する。
２つのセンサー８１、８１には、当該２つのセンサー８１、８１をＸ方向に移動させる移動機構が備えられ、記録媒体ＰのＸ方向のサイズに応じて、そのＸ方向の位置が調整される。
また、検出部８０は、例えば、図３（ｂ）に示すように、記録媒体ＰのＸ方向に沿って延在する１つの長尺なラインセンサー８２を備えても良い。この場合、記録媒体ＰのＸ方向のサイズに応じて、ラインセンサー８２の使用箇所が選択される。
【００２２】
また、検出部８０は、２つのセンサー８１、８１或いはラインセンサー８２の代わりに、画像取得用のカメラを備える構成とすることもできる。この場合、画像解析により粘着剤の面積を算出し、その面積から粘着剤量を検出可能である。
【００２３】
図４は、検出部８０の設置位置を示す図である。
図３に示すように、検出部８０は、記録媒体Ｐの搬送経路上に複数設置されるものであり、例えば、給紙ローラー対１１、１２、１３、２次転写ローラー３３、加圧ローラー４２に対して設置されている。
また、検出部８０は、検出対象部材であるローラー（給紙ローラー対１１、１２、１３、２次転写ローラー３３、加圧ローラー４２）の粘着剤が付着した付着部を直接検出可能な位置に設置される。
【００２４】
図５は、ステアリング機構９０による記録媒体Ｐの動作を説明するための図である。
ステアリング機構９０は、給紙ローラー対１１、１２、１３、及び加圧ローラー４２に対して設置された検出部８０に対応して設置されている。
図５に示すように、ステアリング機構９０は、制御部６０の制御により、検出部８０により検出された粘着剤量に基づいて、搬送されている記録媒体ＰをＸ方向に移動させるものである。これにより、搬送路に付着している粘着剤を、記録媒体Ｐに拭わせることができる。
ステアリング機構９０の機構としては、例えば、記録媒体ＰのＸ方向端部に設けられた衝立部９１と、衝立部９１をＸ方向に移動させる駆動部９２と、を備え、駆動部９２の駆動により衝立部９１をＸ方向に移動させることで記録媒体ＰをＸ方向に押すなどの構成を採用することができるが、これ以外にも公知の如何なる機構であっても良い。
【００２５】
次に、本実施の形態における画像形成装置１００の動作について説明する。
本実施の形態においては、画像形成装置１００は、画像形成処理時、各検出部８０により検出された粘着剤量に基づいて、各ステアリング機構９０により搬送中の記録媒体ＰをＸ方向に移動させることで、搬送路に付着した粘着剤を除去する粘着剤除去処理を実行する。
また、画像形成装置１００は、全ての検出部８０により検出された粘着剤量に基づいて、画像濃度に補正を加えるための補正量を算出する補正量算出処理を実行する。
【００２６】
図６は、粘着剤除去処理を示すフローチャートである。
また、図７〜図９は、粘着剤除去処理における記録媒体Ｐの移動の様子を説明するための図である。図７〜図９においては、横方向に記録媒体Ｐの位置を示し、縦方向に粘着剤量を示して、粘着剤量に応じた記録媒体Ｐの移動の様子を説明している。また、Ｘ方向における記録媒体Ｐに手前側の基準位置（移動前の位置）をＸ１とし、奥側の基準位置（移動前の位置）をＸ２としている。
【００２７】
なお、かかる粘着剤除去処理は、記録媒体Ｐが画像形成処理のため給紙部１０から定着部４０にわたって搬送される際に、各ステアリング機構９０において実行されるものである。
【００２８】
先ず、制御部６０は、検出部８０により粘着剤量を検出する（ステップＳ１０１）。即ち、制御部６０は、検出部８０により、記録媒体ＰのＸ方向の両端部において、記録媒体Ｐからはみ出して検出対象のローラーに付着した粘着剤の付着量を検出する。
【００２９】
次いで、制御部６０は、予め定められた第一閾値以上か否かを判断し（ステップＳ１０２）、第一閾値に満たない場合（ステップＳ１０２：ＮＯ）、かかるステップＳ１０２の処理を繰り返す。
第一閾値とは、ステアリングを実施する粘着剤量の基準を示す値である。
【００３０】
一方、第一閾値以上の場合（ステップＳ１０２：ＹＥＳ）、制御部６０は、予め定められた、第一閾値より大きな第二閾値以上か否かを判断する（ステップＳ１０３）。
第二閾値とは、ステアリングによる粘着剤の除去が不可と考えられる、即ち、粘着剤量が多すぎて、記録媒体Ｐで拭うだけでは粘着剤の除去が不可能とされる基準を示す値である。
【００３１】
そして、第二閾値以上である場合（図７参照）（ステップＳ１０３：ＹＥＳ）、制御部６０は、ユーザーに対して清掃指示を出し（ステップＳ１０４）、本処理を終了する。
ユーザーに対する清掃指示とは、例えば、操作表示部５０の表示画面にメッセージを表示すること等で行われる。
【００３２】
一方、第二閾値に満たない場合（図８（ａ）参照）（ステップＳ１０３：ＮＯ）、制御部６０は、第一閾値以上の粘着剤が付着した側に記録媒体Ｐを移動させるステアリングを実施する（図８（ｂ）参照）（ステップＳ１０５）。
これにより、記録媒体Ｐの基準位置よりずれた部分が、その搬送方向にある粘着剤（図８（ｂ）の破線部分）を拭うこととなり、粘着剤の除去が行われることとなる。
【００３３】
次いで、制御部６０は、ステアリング後、所定時間経過したか否か判断し（ステップＳ１０６）、所定時間経過した場合（ステップＳ１０６：ＹＥＳ）、記録媒体Ｐを元の位置に戻し（図８（ｃ）参照）（ステップＳ１０７）、その後、上記ステップＳ１０１に戻って以降の処理を繰り返す。
【００３４】
一方、所定時間に達しない場合（ステップＳ１０６：ＮＯ）、制御部６０は、同一方向に一定距離以上移動したか、即ち、ステアリング可能な限界位置に達したか否かを判断する（ステップＳ１０８）。
【００３５】
そして、限界位置に達していない場合（図９（ａ）参照）（ステップＳ１０８：ＮＯ）、制御部６０は、上記ステップＳ１０５に戻って以降の処理を繰り返す（図９（ｂ）参照）。
【００３６】
一方、限界位置に達した場合（図９（ｃ）参照）（ステップＳ１０８：ＹＥＳ）、制御部６０は、検出対象のローラーの圧力を変更し（ステップＳ１０９）、本処理を終了する。
【００３７】
なお、上記ステップＳ１０９においては検出対象のローラーの圧力を変更する構成を例示して説明したが、この代りに、ユーザーに対して清掃指示を出すこととしても良い。
【００３８】
このように、本実施の形態においては、画像形成処理において搬送される記録媒体Ｐは、上記粘着剤除去処理の実行により、給紙ローラー対１１、１２、１３、加圧ローラー４２に対して設置された各ステアリング機構９０によりステアリングされ、粘着剤を拭うこととなる。
なお、かかる処理により記録媒体Ｐに粘着剤が付着することとなるが、記録媒体Ｐの端部であるため影響はない。
【００３９】
図１０は、補正量算出処理を示すフローチャートである。
かかる補正量算出処理は、一の記録媒体Ｐが画像形成処理のため給紙部１０から定着部４０にわたって搬送され、全ての検出部８０により、その一の記録媒体Ｐの両端部の粘着剤量が検出された後、実行されるものである。
【００４０】
先ず、制御部６０は、各検出部８０における検出結果から、各検出部８０に対応するローラー毎に、Ｘ方向の手前側と奥側の粘着剤量の差を算出する（ステップＳ２０１）。
【００４１】
次に、制御部６０は、全てのローラーにおいて同一方向に差が出ているか否かを判断する（ステップＳ２０２）。
即ち、全てのローラーにおいてＸ方向の手前側の粘着剤量が多い、又は、全てのローラーにおいてＸ方向の奥側の粘着剤量が多いという、方向による傾向が出ているか否かを判断する。
かかる判断は、粘着剤量の差が発生す要因がどこにあるのか推定するための処理であり、全てのローラーにおいて同一方向に差が出ている場合、記録媒体Ｐに塗布されている粘着剤の状態や装置外の環境が要因と考えられる。
また、同一方向に差が出ていない場合、差が出ているローラーに問題があると考えられる。
なお、ここでは、全てのローラーにおいて同一方向に差が出ているか否か判断することとするが、全てのローラーのうちの予め設定された所定数において同一方向に差が出ているか否か判断することとしても良い。
【００４２】
そして、同一方向に差が出ていない場合（ステップＳ２０２：ＮＯ）、制御部６０は、２次転写ローラー３３に備えられた検出部８０で検出された粘着剤量の差から補正量を算出する（ステップＳ２０３）。
【００４３】
図１１（ａ）は、２次転写ローラー３３に対して設置された検出部８０で検出された、記録媒体Ｐの手前側と奥側の粘着剤量を示す図の一例である。また、図１１（ｂ）は、図１１（ａ）に基づいた記録媒体Ｐの手前側と奥側における画像濃度の補正量を示す図の一例である。
図１１（ａ）では、記録媒体Ｐの奥側が手前側より粘着剤量がＷ１多い状態となっている。即ち、粘着剤量の差がＷ１である。
この場合、図１１（ｂ）に示すように、記録媒体Ｐの奥側に対応する２次転写ローラー３３の圧力が、粘着剤量の差が発生する要因となっていると考える。そこで、粘着剤量の差Ｗ１を、画像濃度に換算し、補正量を算出する。
【００４４】
図１２（ａ）（ｂ）は、粘着剤量の差Ｗ１を、画像濃度に換算する手法を説明するための図である。
先ず、図１２（ａ）の換算データを用いて、粘着剤量（粘着剤量の差Ｗ１）を、ローラー圧に換算する。次いで、図１２（ａ）の換算データを用いて、ローラー圧を、画像濃度に換算する。
ここで、図１２（ａ）（ｂ）に示す換算データは、設定情報として予め記憶部７０に記憶されている。
【００４５】
図１０に戻って、同一方向に差が出ている場合（ステップＳ２０２：ＹＥＳ）、制御部６０は、給紙ローラー対１１、１２、１３に備えられた検出部８０で検出された粘着剤量を、２次転写ローラー３３に備えられた検出部８０で検出された粘着剤量から差し引いた上、画像濃度の補正量を算出する（ステップＳ２０４）。
【００４６】
図１３（ａ）は、２次転写ローラー３３及び給紙ローラー対１１に対して設置された検出部８０で検出された、記録媒体Ｐの手前側と奥側の粘着剤量を示す図の一例である。また、図１３（ｂ）は、図１３（ａ）に基づいた記録媒体Ｐの手前側と奥側における画像濃度の補正量を示す図の一例である。
図１３（ａ）では、２次転写ローラー３３に備えられた検出部８０において、記録媒体Ｐの奥側が手前側より粘着剤量がＷ２多い状態となっている。即ち、粘着剤量の差がＷ２である。
また、給紙ローラー対１１に備えられた検出部８０において、記録媒体Ｐの奥側が手前側より粘着剤量がＷ３多い状態となっている。即ち、粘着剤量の差がＷ３である。
この場合、２次転写ローラー３３における粘着剤量の差Ｗ２を、給紙ローラー対１１における粘着剤量の差Ｗ３にて割った値を、実質的に２次転写ローラー３３が影響した粘着剤量（実質粘着剤量Ｗ４とする）として算出する。そして、実質粘着剤量Ｗ４を、画像濃度に換算し、補正量を算出する。
また、ここでは、給紙ローラー対１１における粘着剤量の差（粘着剤量の差Ｗ３）を用いて実質粘着剤量Ｗ４を算出する説明をしたが、実質粘着剤量Ｗ４の算出には、給紙ローラー対１１、１２、１３で検出した粘着剤量の平均値を用いることが、精度の観点からより好ましい。
なお、実質付着量Ｗ４を画像濃度に換算する手法としては、上記ステップＳ２０３と同様に、上記図１２（ａ）（ｂ）を用いることができる。
【００４７】
次いで、制御部６０は、上記ステップＳ２０１〜ステップＳ２０４の処理を所定回数繰り返したか、即ち、所定枚数の記録媒体Ｐ分だけ補正量を算出したか否かを判断し（ステップＳ２０５）、所定回数に満たない場合（ステップＳ２０５：ＮＯ）、上記ステップＳ２０１に戻って以降の処理を繰り返す。
【００４８】
一方、所定回数繰り返した場合（ステップＳ２０５：ＹＥＳ）、制御部６０は、所定回数分の補正量を平均した平均値を最終補正量として決定する（ステップＳ２０６）。
【００４９】
この後、最終補正量を用いて、例えば、露光量制御、濃度の階調制御などの画像濃度の補正処理を実行する。
【００５０】
このように、本実施の形態においては、粘着剤量の差に基づいて補正量を算出し、画像濃度の補正を行うこととなる。
【００５１】
以上のように、本実施の形態においては、粘着剤層を介してシートが積層された記録媒体Ｐに対して画像形成を行う画像形成部Ｇと、記録媒体ＰのＸ方向の両端部からはみ出した粘着剤量を検出する検出部８０と、検出部８０により検出した記録媒体ＰのＸ方向の両端部の粘着剤量の差に基づいて、画像形成部Ｇの画像形成条件を補正する補正量を算出する制御部６０と、を備える。
このため、各種センサーを搭載する必要がなく、少ない部品点数でありながら、良好な画質及び搬送安定性を実現することができる。
【００５２】
また、本実施の形態においては、画像形成部Ｇに記録媒体Ｐを給紙する給紙部１０を備え、検出部８０は、画像形成部Ｇ及び給紙部１０に備えられ、制御部６０は、画像形成部Ｇ及び給紙部１０における全ての検出部８０において記録媒体ＰのＸ方向の同一側の端部で粘着剤量を多く検出した場合、給紙部１０に備えられた検出部８０で検出された粘着剤量を、画像形成部Ｇに備えられた検出部８０で検出された粘着剤量から差し引いて補正量を算出する。
このため、環境起因の粘着剤のはみ出し量（粘着剤量）が差し引かれるので、より精度よく補正量を算出できる。
【００５３】
また、本実施の形態においては、給紙部１０には複数の検出部８０が備えられ、制御部６０は、給紙部１０における複数の検出部８０で検出された粘着剤量を平均した平均値を、画像形成部Ｇに備えられた検出部８０で検出された粘着剤量から差し引いて補正量を算出する。
このため、環境起因の粘着剤のはみ出し量（粘着剤量）を精度よく算出できる。
【００５４】
また、本実施の形態においては、制御部６０は、複数枚の記録媒体Ｐに対して補正量を算出し、複数枚の記録媒体Ｐに対して算出された補正量を平均した平均値を、最終補正量として決定する。
このため、より精度よく画像形成部Ｇの画像形成条件を補正することができる。
【００５５】
また、本実施の形態においては、検出部８０は、記録媒体ＰのＸ方向に延在するラインセンサー８２を備える。
このため、複数のセンサー、或いはセンサーを移動させる機構を備えることなく、様々なサイズの記録媒体Ｐに対応可能である。
【００５６】
また、本実施の形態においては、検出部８０は、記録媒体ＰのＸ方向の両端部からはみ出した粘着剤が付着した検出対象部材（給紙ローラー対１１、１２、１３、２次転写ローラー３３、加圧ローラー４２）の付着部を検出可能な位置に設置される。
このため、検出対象部の粘着剤の付着部を直接検出することで、より精度よく粘着剤量を検出することができる。
【００５７】
また、本実施の形態においては、記録媒体ＰをＸ方向に移動させるステアリング機構９０を備え、制御部６０は、検出部８０により検出した粘着剤量が第一閾値を超えた場合、ステアリング機構９０により、記録媒体Ｐを粘着剤量が第一閾値を超えた方向に移動させる。
このため、搬送中の記録媒体Ｐにより粘着剤を拭うことができる。
【００５８】
また、本実施の形態においては、制御部６０は、記録媒体Ｐを移動させてから所定時間経過した場合、ステアリング機構９０により、当該記録媒体Ｐを元の位置に戻す。
このため、記録媒体ＰのＸ方向の位置が過度にずれるのを防止することができる。
【００５９】
また、本実施の形態においては、記録媒体Ｐを挟持搬送するローラー対（給紙ローラー対１１、１２、１３、２次転写ローラー３３、加圧ローラー４２）を備え、検出部８０はローラー対に対して設置され、制御部６０は、ステアリング機構９０により、記録媒体Ｐを同一方向に一定距離以上移動させた場合、ローラー対のニップ圧を変更する。
このため、ローラー対のニップ圧を変更させることで、記録媒体ＰのＸ方向の一方に多量の粘着剤がはみ出す（付着する）のを防止することができる。
【００６０】
また、本実施の形態においては、ユーザーに対して所定のメッセージを報知する操作表示部５０を備え、制御部６０は、ステアリング機構９０により、記録媒体Ｐを同一方向に一定距離以上移動させた場合、操作表示部５０により清掃を促す。
このため、記録媒体ＰのＸ方向の一方に多量の粘着剤が付着していることをユーザーに知らせ、清掃を促すことができる。
【００６１】
また、本実施の形態においては、ユーザーに対して所定のメッセージを報知する操作表示部５０を備え、制御部６０は、検出部８０により検出した粘着剤量が第一閾値よりも多い第二閾値を超えた場合、操作表示部５０により清掃を促す。
このため、記録媒体ＰのＸ方向の一方に多量の粘着剤が付着していることをユーザーに知らせ、清掃を促すことができる。
【００６２】
なお、上記図１０のフローチャートでは、上記ステップＳ２０１〜ステップＳ２０４の処理を所定回数繰り返し、その平均を用いて最終補正量を決定しているが、図１４のフローチャートに示すように、上記ステップＳ２０１〜ステップＳ２０４の処理を所定回数繰り返さない構成とすることもできる。
図１４では、ステップＳ２０１〜ステップＳ２０４まで、図１０と同一の処理を行う。
その後、制御部６０は、２次転写ローラー３３の下流側に設けられた濃度センサー（図示省略）により、記録媒体Ｐに形成された画像の濃度検出を行い、その結果を、上記ステップＳ２０３又は上記ステップＳ２０４で算出した補正量に照らし合わせて、最終補正量を決定する（ステップＳ２０７）。
かかる構成とすることで、上記ステップＳ２０１〜ステップＳ２０４の処理を所定回数繰り返すことなく、補正精度を確保することができる。
【００６３】
また、精度をより向上させる観点から、上記図１０フローチャートでは上記ステップＳ２０１〜ステップＳ２０４の処理を所定回数繰り返し、上記図１４フローチャートでは濃度センサーの結果を用いて最終補正量を決定したが、これらを何れも行わないこととしても良い。
【符号の説明】
【００６４】
１００  画像形成装置
１０  給紙部
１１、１２、１３  給紙ローラー対
Ｇ  画像形成部
２０Ｙ、２０Ｍ、２０Ｃ、２０Ｋ  画像形成ユニット
３０  転写ユニット
３１  中間転写ベルト
３２  １次転写ローラー
３３  ２次転写ローラー
３４  駆動ローラー
３５  従動ローラー
４０  定着部
４１  加熱ローラー
４２  加圧ローラー
５０  操作表示部（報知部）
６０  制御部
７０  記憶部
８０  検出部
８１  センサー
８２  ラインセンサー
９０  ステアリング機構
９１  衝立部
９２  駆動部
Ｐ  記録媒体
【図１】
0006642149.tif 000002
【図２】
0006642149.tif 000003
【図３】
0006642149.tif 000004
【図４】
0006642149.tif 000005
【図５】
0006642149.tif 000006
【図６】
0006642149.tif 000007
【図７】
0006642149.tif 000008
【図８】
0006642149.tif 000009
【図９】
0006642149.tif 000010
【図１０】
0006642149.tif 000011
【図１１】
0006642149.tif 000012
【図１２】
0006642149.tif 000013
【図１３】
0006642149.tif 000014
【図１４】
0006642149.tif 000015